(57)【要約】【課題】タッチパッドを自由自在に着脱することができるノートパソコンを提供する。【解決手段】ノートパソコンはケースとタッチパッドを備え、ケースはキーボード面及びキーボート面に垂直に接続する側面を備え、ケースのキーボード面には側面近い場所に凹槽が形成され、凹槽内の側面近い場所には孔が形成され、側面には前記凹槽に対応し、且つ側面に垂直延伸して形成された槽が形成され、タッチパッドの形状及びサイズは凹槽の形状及びサイズと整合して、凹槽内に収容され、ノートパソコンはさらに突出機構を備え、突出機構は側面に垂直設置された回転軸及び回転軸を中心として螺旋状に延伸する歯状側面を備え、回転軸によりキャップに接続されるカム片と、キーボード面及び側面に対して平行に設置され、且つ歯状側面と噛合するラックと、ラックと接続する連動部及び槽に収容される操作部を備える連接棒とを備え、ケース中に収容されることを特徴とする。【選択図】図２
2012256322.tif 000002
【特許請求の範囲】
【請求項１】
ケースとタッチパッドとを備えるノートパソコンにおいて、
前記ケースは、キーボード面及び前記キーボート面に垂直に接続する側面を備え、前記ケースのキーボード面には、前記側面に近い場所に凹槽が形成され、前記凹槽内の前記側面に近い場所には孔が形成され、また、前記側面には前記凹槽に対応し、且つ前記側面に垂直に延伸して形成された槽が形成され、前記タッチパッドの形状及びサイズは前記凹槽の形状及びサイズと整合して、前記凹槽内に収容され、
前記ノートパソコンはさらに突出機構を備え、
前記突出機構は、前記側面に垂直に設置された回転軸及び前記回転軸を中心として螺旋状延伸する歯状側面を備え、前記回転軸によって前記キャップに接続されるカム片と、前記キーボード面及び前記側面に対して平行に設置され、且つ前記歯状側面と噛合するラックと、前記ラックと接続する連動部及び前記槽に収容される操作部を備える連接棒と、を備え、前記ケース中に収容されることを特徴とするノートパソコン。
【請求項２】
前記凹槽は矩形であり、底面と、前記側面に対向する第一内面と、前記第一内面に対向する第二内面と、を備え、前記第二内面は、前記底面に近い場所に係合槽が形成され、
前記タッチパッドも矩形であり、前記第一内面に対応する第一外面及び前記第二内面に対応する第二外面を備え、前記第二内面には前記係合槽と係合する係合部が形成されていることを特徴とする請求項１に記載のノートパソコン。
【請求項３】
前記係合槽には前記第一内面に対向する第三内面が形成され、前記第三内面の側面には前記底面から離れた方向へ延伸する係合孔が形成され、前記係合部には前記係合孔と係合する係合接続部が形成されていることを特徴とする請求項２に記載のノートパソコン。
【請求項４】
前記第三内面には収容孔が形成され、前記ノートパソコンはさらに第一スプリングを備え、前記第一スプリングの一部が前記収容孔内に固定され、
前記タッチパッドが前記凹槽に収容される際に、前記第一スプリングは前記ノートパソコンの前記第一外面と接触することを特徴とする請求項２に記載のノートパソコン。
【請求項５】
前記槽は前記第一内面１１６を貫通し、前記底面に近く、且つ前記槽に対応する場所には貫通孔が形成され、
前記連接棒は、前記キーボード面に対して垂直に前記貫通孔を貫通する第一接続部と、前記連動部と平行し且つ前記第一接続部と前記操作部とを接続する第二接続部と、を備え、前記第一外面の前記底面に近い場所には収容槽が形成され、前記第二接続部は、該収容槽内に収容され、且つ前記収容槽でスライドされることを特徴とする請求項２に記載のノートパソコン。
【請求項６】
前記タッチパッドは前記収容槽内から一対の導滑部が延伸され、該一対の導滑部が前記第二接続部を間に挟み、及び／又はスライドさせることを特徴とする請求項５に記載のノートパソコン。
【請求項７】
前記突出機構は、第二スプリングをさらに備え、前記第二スプリングは、前記収容槽内に設置されて、前記タッチパッドが前記凹槽内に収容される際に、前記第二スプリングは最初の状態にあり、
前記操作部が動かされ、前記タッチパッドが突出すると、前記第二スプリングは圧縮され、
前記操作部から手を離すと、前記第二スプリングは自動的に最初の状態に戻り、且つ前記連接棒を動かして、前記キャップを下方へ移動させことを特徴とする請求項５に記載のノートパソコン。
【発明の詳細な説明】
【技術分野】
【０００１】
本発明は、ノートパソコンに関するものである。
【背景技術】
【０００２】
従来のノートパソコンのタッチパッドは、ノートパソコンの内部に設置固定されている。そのため、遠距離からノートパソコンを操作したい場合は、別にマウスを接続しなければならず不便である。
【発明の概要】
【発明が解決しようとする課題】
【０００３】
以上の問題点に鑑みて、本発明は、タッチパッドを自由自在に着脱することができるノートパソコンを提供することを目的とする。
【課題を解決するための手段】
【０００４】
前記目的を達成するために、本発明に係るノートパソコンはケースとタッチパッドとを備える。前記ケースは、キーボード面及び前記キーボード面に垂直に接続する側面を備え、前記ケースのキーボード上には、前記側面も近い場所に凹槽が形成され、前記凹槽内の前記側面に近い場所には孔が形成され、また、前記側面上には前記凹槽に対応し、且つ前記側面に垂直に延伸された槽が形成され、前記タッチパッドの形状及びサイズは前記凹槽の形状及びサイズと整合し、前記凹槽内部に収容され、前記ノートパソコンはさらに突出機構を備え、前記突出機構は、前記側面に垂直に設置された回転軸及び前記回転軸を中心に螺旋状に延伸する歯状側面を備え、前記回転軸によって前記キャップに接続されるカム片と、前記キーボード面及び前記側面に平行に設置され、且つ前記歯状側面と噛合するラックと、前記ラックと接続する連動部及び前記槽に収容される操作部を備える連接棒とを備え、前記ケース中に収容されることを特徴とする。
【発明の効果】
【０００５】
本発明に係るノートパソコンは、前記タッチパッドがキーボード面に設置され、且つ前記側面の方向に沿って前記操作部を動かして、前記連動部及び前記ラックを動かす。この時、前記カム片は、前記回転軸を中心に回転するため、前記歯状側面と係合する前記ラックの部分の半径が大きくなり、前記キャップは前記孔に沿って前記ラックから離れた方向へ移動するので、前記タッチパッドの前記側面に近い一側が前記ケースから突出し、前記ケースから自由自在に着脱することができる。
【図面の簡単な説明】
【０００６】
【図１】本発明に係るノートパソコンの斜視図である。
【図２】図１に示したノートパソコンのタッチパッドが設置される部分の分解図である。
【図３】図１示したノートパソコンのタッチパッドが設置される部分を別の視点から見た分解図である。
【図４】図１示したＶ−Ｖ線に沿ったノートパソコンの断面図である。
【図５】図１示したＩＶ−ＩＶ線に沿ったノートパソコンの断面図である。
【図６】図１示したノートパソコンを取り出す際の状態を示す図である。
【発明を実施するための形態】
【０００７】
以下、図面に基づいて、本発明に係るノートパソコンについて詳細に説明する。
【０００８】
図１及び図２を参照すると、本発明に係るノートパソコン１０は、本体１００と、タッチパッド２００と、突出機構３００と、を備える。前記本体１００はケース１０２を備える。前記ケース１０２は、キーボード面１０４と、前記キーボード面１０４に対して垂直に形成された側面１０６と、を備える。前記ケース１０２の前記キーボード面１０４上には、前記側面１０６に近い場所に凹槽１０８が形成されており、且つ前記凹槽１０８内の前記側面１０６に近い場所には孔１１０が形成されている。また、前記側面１０６上には、前記凹槽１０８に対応し、且つ前記側面１０６には前記凹槽１０８と連通された槽１１２が形成されている。前記タッチパッド２００の形状及びサイズは、前記凹槽１０８の形状及びサイズと整合し、前記タッチパッド２００は、前記凹槽１０８内に収容される。
【０００９】
前記突出機構３００は、キャップ３０２と、カム片３０４と、ラック３０６と、連接棒３０８と、を備える。前記突出機構３００は、前記ケース１０２内に収容される。前記カム片３０４は、前記側面１０６に垂直に設置された回転軸３１０及び前記回転軸３１０を中心に螺旋状に延伸する歯状側面３１２を備える。前記カム片３０４は、前記回転軸３１０によって、前記キャップ３０２に回転可能に連接される。前記ラック３０６は、前記キーボード面１０４及び前記側面１０６に対して平行に設置され、且つ前記歯状側面３１２と噛合する。また、前記連接棒３０８は、前記ラック３０６と接続する連動部３１４及び前記槽１１２に収容される操作部３１６を備える。
【００１０】
図４〜図６を参照すると、前記操作部３１６を平面視した場合、右手に位置する１つの前記操作部３１６は前記キーボード面１０４対して平行に、且つ右方向に動かし、また、左手に位置するもう１つの前記操作部３１６は前記キーボード面１０４に対して平行に、且つ左方向に向かって動かすことにより、前記連動部３１４及び前記ラック３０６がそれぞれ移動して、前記カム片３０４が前記回転軸３１０に沿って回転する。この時、前記歯状側面３１２と前記ラック３０６とが噛合する部分の半径は大きくなる。従って、前記キャップ３０２を前記孔１１０に沿って前記ラック３０６から離れた方向に移動させて、前記タッチパッド２００の前記側面１０６に近い側面を突出させることができる（図６参照）。
【００１１】
また、前記タッチパッド２００は、前記本体１００から取り外された状態でも使用することができる。
【００１２】
図２に示すように、前記凹槽１０８は矩形であり、且つ底面１１４と、前記側面１０６に対向する第一内面１１６と、該第一内面１１６に対向する第二内面１１８と、を備える。前記第一内面１１６と前記第二内面１１８とは、前記底面１１４に対しそれぞれ垂直方向に形成されている。また、前記第二内面１１８には、前記底面１１４に近い場所に係合槽１２０が形成されている。
【００１３】
前記タッチパッド２００も、凹槽１０８と同様、矩形であり、且つ前記第一内面１１６に対応する第一外面２０２と、前記第二内面１１８に対応する第二外面２０４と、を備える。前記第二外面２０４には、前記係合槽１２０と係合される係合部２０６が形成されている。つまり、前記タッチパッド２００が前記凹槽１０８内に収容される際に、前記係合部２０６が前記係合槽１２０と係合されることで、前記タッチパッド２００は前記凹槽１０８内に固定される。
【００１４】
前記係合槽１２０には、前記第一内面１１６に対向する第三内面１２２が形成されており、前記第三内面１２２には前記底面１１４から離れる方向へ延伸する係合孔１２４が形成され、前記係合部２０６には該係合孔１２４と係合される係合接続部２０８が形成されている。前記タッチパッド２００が前記凹槽１０８に収容されて、前記係合部２０６が前記係合槽１２０と係合されると、前記係合接続部２０８も前記係合孔１２４と係合される。これにより、前記タッチパッド２００は前記凹槽１０８内にさらに強固に固定される。また、前記第三内面１２２には、収容孔１２６が形成されている。
【００１５】
前記ノートパソコン１０は、第一スプリング４００をさらに備える。前記第一スプリング４００の一部分は前記収容孔１２６内に固定される。従って、前記タッチパッド２００が前記凹槽１０８に収容される際に、前記第一スプリング４００を前記タッチパッド２００で圧縮しながら前記凹槽１０８に収容する。この時、前記タッチパッド２００の第一外面２０２は、前記第一スプリング４００によって、前記ノートパソコン１０の前記第一内面１１６と接触する。これにより、さらに前記タッチパッド２００を前記凹槽１０８内に強固に固定することができる。
【００１６】
本実施形態において、前記係合槽１２０と前記係合部２０６は矩形状であり、且つ前記第二内面１１８及び前記第二外面２０４はそれぞれ同じ幅である。
【００１７】
前記係合槽１２０と前記係合部２０６との接続方法は、本実施形態の係合方法に限定されない。従って、別の接続方法によって、前記タッチパッド２００を前記凹槽１０８内に固定してもよい。
【００１８】
前記係合孔１２４及び前記係合接続部２０８も矩形であり、且つそれらの接続方法は、本実施形態の係合方法に限定されない。従って、別の接続方法によって、前記タッチパッド２００を前記凹槽１０８内に固定してもよい。
【００１９】
他の実施形態において、前記係合槽１２０を前記タッチパッド２００に形成し、且つ前記係合部２０６を前記ケース１０２に形成してもよい。同様に、前記係合孔１２４を前記タッチパッド２００に形成し、且つ前記係合接続部２０８を前記ケース１０２に形成してもよい。前記収容孔１２６を前記タッチパッド２００に形成することもできる。
【００２０】
また、前記キーボード面１０４と前記側面１０６との接続部分には、前記孔１１２に対応する孤形の操作槽１２８が形成されているため、操作者は前記操作槽１２８を介すことで、容易に前記操作部３１６を動かすことができる。
【００２１】
前記槽１１２は、前記第一内面１１６を貫通する。また、前記底面１１４に近く、且つ前記槽１１２に対応する場所には、貫通孔１３０が形成されている。前記連接棒３０８は、さらに前記キーボード面１０４に対して垂直な方向に前記貫通孔１３０を貫通する前記第一接続部３１８と、前記連動部３１４と平行であり、且つ前記第一接続部３１８及び前記操作部３１６を接続する第二接続部３２０と、を備える。前記第一外面２０２の前記底面１１４に近い場所には収容槽２１０が形成されている。前記第二接続部３２０は、該収容槽２１０内に収容され、且つ前記操作部３１６が動くと、前記収容槽２１０でスライドされる。
【００２２】
さらに前記タッチパッド２００は、前記収容槽２１０内から一対の導滑部２１２が延伸し、該一対の導滑部２１２は、前記第二接続部３２０を間に挟み、及び／又はスライドさせるために使用する。
【００２３】
前記突出機構３００は、さらに第二スプリング３２２を備え、前記第二スプリング３２２は、前記収容槽２１０内に設置される。前記タッチパッド２００が前記凹槽１０８に収容される際、前記第二スプリング３２２は最初の状態にあり、前記操作部３１６が動かされて、前記タッチパッド２００が突出すると、前記第二スプリング３２２は圧縮される。前記操作部３１６から手を離すと、前記第二スプリング３２２は自動的に最初の状態に戻り、且つ前記連接棒３０８を動かして、前記キャップ３０２を下方へ移動させる。
【００２４】
他の実施形態において、二つの前記係合孔１２４と、前記係合接続部２０８と、前記収容孔１２６と、前記第一スプリング４００と、前記孔１１０と、前記貫通孔１３０及び前記突出機構３００とを採用し、且つ前記凹槽１０８は、前記側面１０６の中心線Ｏに対して対称となるように設置される。
【００２５】
また、前記タッチパッド２００は、コネクタによって、前記本体１００と接続して通信を行ったり、或いは、無線の方法（例えばブルートゥース（登録商標））によって、通信することもできる。
【００２６】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２７】
１０      ノートパソコン
１００    本体
１０２    ケース
１０４    キーボード面
１０６    側面
１０８    凹槽
１１０    孔
１１２    槽
１１４    底面
１１６    第一内面
１１８    第二内面
１２０    係合槽
１２２    第三内面
１２４    係合孔
１２６    収容孔
１２８    操作槽
１３０    貫通孔
２００    タッチパッド
２０２    第一外面
２０４    第二外面
２０６    係合部
２０８    係合接続部
２１０    収容槽
２１２    導滑部
３００    突出機構
３０２    キャップ
３０４    カム片
３０６    ラック
３０８    連接棒
３１０    回転軸
３１２    歯状側面
３１４    連動部
３１６    操作部
３１８    第一接続部
３２０    第二接続部
３２２    第二スプリング
４００    第一スプリング
【図１】
2012256322.tif 000003
【図２】
2012256322.tif 000004
【図３】
2012256322.tif 000005
【図４】
2012256322.tif 000006
【図５】
2012256322.tif 000007
【図６】
2012256322.tif 000008